(57)【要約】【課題】管理上の無線通信装置の設置位置が、実際に搭載される機器の設置位置に対応しているか確認する。【解決手段】無線通信装置の位置情報を管理する管理装置であって、前記位置情報に基づく所定の順番で、前記無線通信装置が搭載される機器を制御する制御信号を、前記無線通信装置に出力する制御信号出力手段を有することにより上記課題を解決する。【選択図】図４
2014171160.tif 000002
【特許請求の範囲】
【請求項１】
無線通信装置の位置情報を管理する管理装置であって、
前記位置情報に基づく所定の順番で、前記無線通信装置が搭載される機器を制御する制御信号を、前記無線通信装置に出力する制御信号出力手段を有することを特徴とする管理装置。
【請求項２】
前記制御信号出力手段は、
前記位置情報の緯度又は経度の優先度に応じて、前記制御信号を前記無線通信装置に出力することを特徴とする請求項１に記載の管理装置。
【請求項３】
前記制御信号出力手段により出力された制御信号に基づき、制御されている前記機器の情報を画面に表示する表示制御手段を有することを特徴とする請求項１又は２に記載の管理装置。
【請求項４】
前記表示制御手段により表示された画面上で、ユーザの指示を受け付ける操作入力受付手段を有し、
前記操作入力受付手段は、
前記画面に表示されている前記機器が、実際に制御されている機器と対応していない場合に、前記ユーザの指示を受け、前記対応していない機器を記憶することを特徴とする請求項３に記載の管理装置。
【請求項５】
前記表示制御手段は、
前記画面上に、前記無線通信装置が搭載される機器のレイアウトを表示し、
前記制御信号出力手段は、
前記操作入力受付手段により、前記画面に表示されたレイアウト上で所定範囲の機器が選択された指示を受けると、前記選択された機器に搭載される無線通信装置に、前記制御信号を出力することを特徴とする請求項４に記載の管理装置。
【請求項６】
前記機器は、照明機器又は音出力機器を含むことを特徴とする請求項１乃至５のいずれか一項に記載の管理装置。
【請求項７】
機器に搭載される無線通信装置と、前記無線通信装置の位置情報を管理する管理装置とを有する管理システムであって、
前記管理装置は、
前記位置情報に基づく所定の順番で、前記無線通信装置が搭載される機器を制御する制御信号を、前記無線通信装置に出力する制御信号出力手段を有し、
前記無線通信装置は、
前記管理装置から得られた制御信号に基づき、当該無線通信装置が搭載される機器を制御する機器制御手段を有することを特徴とする管理システム。
【請求項８】
コンピュータを、
請求項１乃至５のいずれか一項に記載の管理装置が有する各手段として機能させるための管理プログラム。
【発明の詳細な説明】
【技術分野】
【０００１】
本願は、管理装置、管理システム、及び管理プログラムに関する。
【背景技術】
【０００２】
従来では、ＩＭＥＳ（Ｉｎｄｏｏｒ  ＭＥｓｓａｇｉｎｇ  Ｓｙｓｔｅｍ）を用いた位置情報の管理方法が知られている。この管理方法では、所定の位置に設置された送信機が、ＩＭＥＳによる位置情報を所定のエリアに送信し、そのエリア内にある携帯端末がその位置情報を受信する。携帯端末は、受信した位置情報を無線ＬＡＮ（Ｌｏｃａｌ  Ａｒｅａ  Ｎｅｔｗｏｒｋ）に基づいて管理サーバに送信し、管理サーバにおいて携帯端末の位置を管理する（例えば、特許文献１参照）。
【発明の概要】
【発明が解決しようとする課題】
【０００３】
しかしながら、従来手法を用いた場合には、上述のように位置情報を送信する送信機の下まで行き、例えば位置情報受信機を使用して、送信機から送信されている位置情報が設置位置と対応している正しい値か確認しなければならなかった。したがって、管理サーバ側では、所定の位置に設置された機器等に、その設置位置と異なる位置情報を送信する送信機を間違って設置した場合に、送信機が送信する位置情報が設置位置と対応しているか確認することができなかった。
【０００４】
１つの側面では、本発明は、管理上の無線通信装置の設置位置が、実際に搭載される機器の設置位置に対応しているか容易に確認することを目的とする。
【課題を解決するための手段】
【０００５】
一態様において、無線通信装置の位置情報を管理する管理装置であって、前記位置情報に基づく所定の順番で、前記無線通信装置が搭載される機器を制御する制御信号を、前記無線通信装置に出力する制御信号出力手段を有することを特徴とする。
【発明の効果】
【０００６】
管理上の無線通信装置の設置位置が、実際に搭載される機器の設置位置に対応しているか容易に確認することが可能となる。
【図面の簡単な説明】
【０００７】
【図１】位置管理システムの概略構成の一例を示す図である。
【図２】本実施形態に係る管理システムを説明するための図である。
【図３】無線通信装置の機能ブロックの一例を示す図である。
【図４】位置情報管理システムの機能ブロックの一例を示す図である。
【図５】無線通信装置のハードウェア構成の一例を示す図である。
【図６】位置情報管理システムのハードウェア構成の一例を示す図である。
【図７】点灯制御処理の流れを示すフローチャートである。
【図８】位置情報対応表の一例を示す図である。
【図９】照明機器の点灯順序を説明するための図である。
【図１０】点灯状態の照明機器を表示する画面の一例を示す図である。
【発明を実施するための形態】
【０００８】
以下、開示の技術に係る実施の形態について詳細に説明する。なお、以下に説明する実施の形態では、例えば所定エリアにおける物体や人物の位置を管理する位置管理システムにおいて、無線通信装置により送信する位置情報を管理する手法の一例として用いられる。
【０００９】
＜位置管理システム：概略構成＞
図１は、位置管理システムの概略構成の一例を示す図である。図１に示すように、位置管理システム１は、無線通信装置２Ａ〜２Ｈと、通信端末３Ａ〜３Ｈと、ゲートウェイ装置４と、位置情報管理システム５とを有するように構成される。なお、以下の説明では、無線通信装置２Ａ〜２Ｈは、適宜、無線通信装置２と称し、通信端末３Ａ〜３Ｈは、適宜、通信端末３と称して説明する。
【００１０】
無線通信装置２Ａ〜２Ｈは、例えば屋内αの天井βに設置された電気機器６Ａ〜６Ｈ（以下、適宜「電気機器６」と称する）に内蔵されるか又は外部に取り付けられているものとする。無線通信装置２Ａ〜２Ｈは、設置される設置位置の位置情報を記憶しており、無線通信により、所定の電波範囲（すなわち管理対象となる領域）に対してそれぞれ位置情報ＸＡ〜ＸＨ（以下、適宜「位置情報Ｘ」と称する）を送信する。
【００１１】
ここで、所定の電波範囲は、例えば無線通信装置２Ａ〜２Ｈからの送信出力や、アンテナの指向性等によって決定され、図１の例では、無線通信装置２Ａの下方に示される円錐形の点線が、無線通信装置２Ａにおける所定の電波範囲を示している。なお、無線通信装置２Ａ〜２Ｈは、それぞれの装置を識別する装置識別情報ＡＡ〜ＡＨ（以下、適宜「装置識別情報Ａ」と称する）を記憶するものとする。
【００１２】
通信端末３Ａ〜３Ｈは、無線通信装置２Ａ〜２Ｈから位置情報ＸＡ〜ＸＨを受信する。図１の例では、通信端末３Ａ〜３Ｈは、位置情報管理システム５により位置を管理される管理対象物７Ａ〜７Ｅ（以下、適宜、「管理対象物７」と称する）に取り付けられているものとする。
【００１３】
通信端末３Ａ〜３Ｈは、無線通信装置２Ａ〜２Ｈから位置情報ＸＡ〜ＸＨを受信すると、無線通信により、受信した位置情報ＸＡ〜ＸＨを、自己の端末識別情報ＢＡ〜ＢＨ（以下、適宜、「端末識別情報Ｂ」と称する）とともに無線通信装置２Ａ〜２Ｈに送信する。なお、端末識別情報Ｂには、例えばＭＡＣ（Ｍｅｄｉａ  Ａｃｃｅｓｓ  Ｃｏｎｔｒｏｌ）アドレス等を用いることが可能である。
【００１４】
電気機器６は、無線通信装置２に対して電力を供給する。図１の例では、電気機器６Ａは、蛍光灯型ＬＥＤ（Ｌｉｇｈｔ  Ｅｍｉｔｔｉｎｇ  Ｄｉｏｄｅ）の照明機器である。電気機器６Ｂは、換気扇である。電気機器６Ｃは、無線ＬＡＮのアクセスポイントである。電気機器６Ｄは、スピーカである。
【００１５】
電気機器６Ｅは、非常灯である。電気機器６Ｆは、火災報知機又は煙報知器である。電気機器６Ｇは、監視カメラである。電気機器６Ｈは、エアコンである。電気機器６は、無線通信装置２に電力を供給することができれば、図１に示す電気機器以外であっても良く、例えば一般の蛍光灯又は白熱灯の照明器具や、外部からの人の侵入を検知する防犯センサ等であっても良い。
【００１６】
管理対象物７は、通信端末３が取り付けられることにより、位置情報管理システム５により位置が管理される。管理対象物７Ａは、鞄である。管理対象７Ｂは、テーブルである。管理対象物７Ｃは、プロジェクタである。管理対象物７Ｄは、テレビ会議端末である。管理対象物７Ｅは、コピー機能を含むＭＦＰ（Ｍｕｌｔｉ  Ｆｕｎｃｔｉｏｎ  Ｐｒｏｄｕｃｔ）である。管理対象物７Ｆは、ほうきである。
【００１７】
管理対象物７Ｇは、パソコンであり、パソコン内に通信端末３の機能が搭載されているため通信端末３Ｇにもなる。管理対象物７Ｈは、スマートフォン等の携帯電話であり、携帯電話内に通信端末３の機能が搭載されているため通信端末３Ｈにもなる。
【００１８】
なお、管理対象物７は、図１に示す対象物以外であっても良く、例えばファクシミリ装置、スキャナ、プリンタ、コピー機、電子黒板、空気洗浄機、シュレッダ、自動販売機、腕時計、カメラ、ゲーム機、車椅子、内視鏡等の医療機器であっても良い。
【００１９】
次に、上述した構成を有する位置管理システム１を利用した位置情報の管理方法の一例を説明する。例えば、図１に示す屋内αの天井βに設置されている無線通信装置２Ａは、無線通信により、設置位置を示す位置情報ＸＡを送信する。
【００２０】
通信端末３Ａは、位置情報ＸＡを受信すると、受信した位置情報ＸＡと、通信端末３Ａを識別する端末識別情報ＢＡとを、無線通信により、無線通信装置２Ａに送信する。なお、通信端末３Ａが、図１に示す複数の無線通信装置２から位置情報Ｘを受信した場合には、それぞれの無線通信装置２から受信した位置情報Ｘの信号強度を測定し、最大信号強度に係る位置情報Ｘを現在の位置情報Ｘとして決定すると良い。
【００２１】
通信端末３Ａは、無線通信装置２に対して無線ネットワークに参加するための参加要求を行う。このとき、図１に示す複数の無線通信装置２から参加応答があった場合には、通信端末３Ａは、それぞれの参加応答に係る信号強度を測定し、最大信号強度に係る参加応答に含まれる装置識別情報Ａの無線通信装置２を、通信端末３Ａの位置情報Ｘの送信先とすると良い。
【００２２】
通信端末３Ａは、上述した送受信動作を、例えば加速度センサを有している場合には、加速度センサによる通信端末３Ａの加速度変化が検出された所定のタイミング（例えば移動の後、停止した場合等）に行うと良い。
【００２３】
無線通信装置２Ａは、例えば通信端末３Ａから、通信端末３Ａの端末識別情報ＢＡと位置情報ＸＡとを受信すると、受信した通信端末３Ａの端末識別情報ＢＡと、位置情報ＸＡとを、無線通信により、ゲートウェイ装置４に対して送信する。
【００２４】
ここで、無線通信装置２とゲートウェイ装置４との間に構築される無線ネットワークについて説明する。例えば電気機器６の電源がオンになると、無線通信装置２が、装置識別情報Ａを用いてゲートウェイ装置４に対して参加要求を行う。
【００２５】
ゲートウェイ装置４は、無線通信装置２から参加要求を受信すると、無線通信装置２の装置識別情報Ａと、ゲートウェイ装置４を識別する装置識別情報Ｃとを用いて参加応答を行う。無線通信装置２は、ゲートウェイ装置４から参加応答を受信すると、参加応答に含まれる装置識別情報Ｃを記憶する。このようにして、無線通信装置２とゲートウェイ装置４との間に無線ネットワークが構築される。
【００２６】
ゲートウェイ装置４は、位置情報管理システム５に対して、例えばＬＡＮ８Ｅを介して、通信端末３Ａの端末識別情報ＢＡと、位置情報ＸＡとを送信する。ゲートウェイ装置４は、例えばＩＥＥＥ８０２．１５．４に準拠した通信方式（通信プロトコル）を、例えばＩＥＥＥ８０２．３に準拠した通信方式に変換して、無線通信装置２から送られてきた各種情報をＥｔｈｅｒｎｅｔ（登録商標）によりパケット通信できるように制御する。
【００２７】
位置情報管理システム５は、通信端末３Ａの端末識別情報ＢＡと、位置情報ＸＡとを管理することで、通信端末３Ａと対応して管理される管理対象物７Ａの屋内αの位置が、管理者等のユーザにより把握される。
【００２８】
図１に示す通信端末３のうち、例えば通信端末３Ｇ又は通信端末３Ｈは、屋外γにおいて、ＧＰＳ（Ｇｌｏｂａｌ  Ｐｏｓｉｔｉｏｎｉｎｇ  Ｓｙｓｔｅｍ）衛星９から無線信号（例えば時刻情報、軌道情報等）を受信して、地球上での位置を算出すると良い。
【００２９】
通信端末３Ｇ又は通信端末３Ｈは、例えば３Ｇ（３ｒｄ  Ｇｅｎｅｒａｔｉｏｎ）、４Ｇ（４ｔｈ  Ｇｅｎｅｒａｔｉｏｎ）等の移動通信システムを利用することにより、基地局８Ａ、移動体通信網８Ｂ、ゲートウェイ８Ｃ、インターネット８Ｄ、及びＬＡＮ８Ｅを介して、位置情報管理システム５に対して、端末識別情報ＢＧ又はＢＨ、位置情報ＸＧ又はＸＨを送信することも可能である。
【００３０】
図１に示す基地局８Ａ、移動体通信網８Ｂ、ゲートウェイ８Ｃ、インターネット８Ｄ、ＬＡＮ８Ｅ、及びゲートウェイ４により、通信ネットワーク８を構築することが可能である。なお、地球上の緯度と経度とが測位されるためには、少なくとも３つのＧＰＳ衛星が必要となるが（高度を含めると４つ必要）、図１の例ではＧＰＳ衛星９のみ示す。
【００３１】
＜本実施形態に係る管理システム＞
ここで、上述した図１に示す無線通信装置２と位置情報管理システム５とにより構成される管理システムの一例について説明する。図２は、本実施形態に係る管理システムを説明するための図である。
【００３２】
図２の例では、図１に示す電気機器６Ａとしての照明機器１０Ａ〜１０Ｌが設置されている設置位置と、照明機器１０Ａ〜１０Ｌにそれぞれ搭載されている無線通信装置２Ａ〜２Ｌを示すレイアウト図（配置図）が示されている。図２に示すレイアウト図は、予め管理装置の一例である位置情報管理システム５が管理しているものである。
【００３３】
図２に示す無線通信装置２Ａ〜２Ｌには、それぞれ搭載される照明機器１０Ａ〜１０Ｌの設置位置の位置情報が記憶されている。したがって、無線通信装置２Ａ〜２Ｌが照明機器１０Ａ〜１０Ｌに適切に設置されている場合には、無線通信装置２Ａ〜２Ｌから、照明機器１０Ａ〜１０Ｌの設置位置に対応する位置情報が送信される。
【００３４】
一方、例えば無線通信装置２Ａが、照明機器１０Ｂに設置された場合には、無線通信装置２Ａに照明機器１０Ａの位置情報が記憶されているため、照明機器１０Ｂに設置された無線通信装置２Ａから、設置位置と対応していない位置情報が送信されてしまう。
【００３５】
そこで、本実施形態に係る管理システムでは、位置情報管理システム５により、それぞれ搭載される照明機器１０Ａ〜１０Ｌの位置情報を記憶している無線通信装置２Ａ〜２Ｌが、照明機器１０Ａ〜１０Ｌの位置に適切に設置されているか確認する。なお、以下の説明では、無線通信装置２Ａ〜２Ｌは、適宜、無線通信装置２と称し、照明機器１０Ａ〜１０Ｌは、適宜、照明機器１０と称する。
【００３６】
位置情報管理システム５は、図２に示す照明機器１０のレイアウト図の他、図２に示す照明機器１０Ａ〜１０Ｌと、その設置位置の位置情報とを対応させた位置情報対応表を、予め管理しているものとする。この位置情報対応表には、照明機器１０Ａ〜１０Ｌの位置情報を記憶している無線通信装置２Ａ〜２Ｌも示されているものとする。
【００３７】
位置情報管理システム５は、例えば図２に示すレイアウト順で照明機器１０を点灯させるよう、上述した位置情報対応表を用いて、照明機器１０の位置情報を記憶している無線通信装置２に対して制御信号を出力して、搭載されている照明機器１０を点灯させる。ここで、レイアウト順に照明機器１０が点灯すれば、無線通信装置２は、位置情報対応表で管理している通り、搭載される照明機器１０の位置に設置されていると判断することが可能となる。
【００３８】
そのため、位置情報管理システム５は、位置情報対応表の位置情報を、例えば図２に示すレイアウト順となるよう並べ替え、その順番に無線通信装置２Ａ〜２Ｌに制御信号を出力する。このとき、位置情報管理システム５は、点灯状態となるはずの照明機器１０を、位置情報対応表に対応させて画面に順次表示しながら、実際に、例えば図２に示すレイアウト順で、照明機器１０が点灯するかユーザにより目視確認する。レイアウト順に点灯されない場合には、ユーザによりその照明機器１０を特定する。
【００３９】
上述した手法により、管理上の無線通信装置２の設置位置が、実際に搭載される照明機器１０の設置位置と対応しているか確認することが可能となる。以下、具体的に説明する。
【００４０】
＜無線通信装置２：機能ブロック＞
図３は、無線通信装置の機能ブロックの一例を示す図である。図３に示すように、無線通信装置２は、変換手段２０と、調光制御手段２１と、位置情報送信手段２２と、無線通信手段２３と、記憶手段２４と、制御手段２５とを有するように構成される。
【００４１】
変換手段２０は、例えば供給された高電圧ＤＣ電源を低電圧ＤＣ電源に変換し、変換した低電圧ＤＣ電源を無線通信装置２の各手段に供給する。
【００４２】
調光制御手段２１は、位置情報管理システム５から、無線通信装置２が搭載される照明機器１０の調光を制御するよう指示する制御信号を受信すると、受信した制御信号にしたがって照明機器１０の調光を制御する。調光制御手段２１は、例えば機器制御手段としての機能を有する。
【００４３】
調光制御手段２１は、例えば制御信号として照明機器１０を消灯させる消灯コマンドや点灯させる点灯コマンド等を受信すると、受信したコマンドにしたがって照明機器１０を消灯させたり点灯させたりする。ここで、調光制御手段２１が、制御信号に応じて照明機器１０を点灯させたときに、照明機器１０のレイアウト図の位置で点灯していれば、管理上の無線通信装置２の設置位置が、実際に搭載される無線通信装置２の設置位置に対応していると確認することが可能となる。
【００４４】
位置情報送信手段２２は、例えばＩＭＥＳ等を用いて、記憶手段２４に記憶されている位置情報Ｘを所定の範囲に送信する。位置情報送信手段２２により送信される位置情報Ｘは、無線通信装置２が搭載される照明機器１０の設置位置と対応したものとなる。
【００４５】
無線通信手段２３は、他の無線通信装置２又はゲートウェイ装置４を介して、位置情報管理システム５と各種データの送受信を行う。例えば、無線通信手段２３は、位置情報管理システム５からの制御信号として、上述した消灯コマンドや点灯コマンドを受信する。なお、無線通信手段２３は、Ｚｉｇｂｅｅ（登録商標）を利用することが可能である。また、無線通信手段２３により位置情報を送信しても良い。
【００４６】
記憶手段２４は、位置情報送信手段２２により送信される位置情報Ｘや、無線ネットワークに参加するために用いられる無線通信装置２の装置識別情報Ａ等を記憶する。制御手段２５は、無線通信装置２の動作を制御する。
【００４７】
上述した構成により、無線通信装置２は、位置情報管理システム５からの制御信号にしたがって搭載される照明機器１０の調光を制御することが可能となる。
【００４８】
＜位置情報管理システム５：機能ブロック＞
図４は、位置情報管理システムの機能ブロックの一例を示す図である。図４に示すように、位置情報管理システム５は、操作入力受付手段３０と、送受信手段３１と、対応表取得手段３２と、制御信号出力手段３３と、表示制御手段３４と、記憶手段３５とを有するように構成される。
【００４９】
操作入力受付手段３０は、管理者等のユーザから各種の入力又は選択を受け付ける。操作入力受付手段３０は、例えば表示制御手段３４により表示された画面上でのユーザの指示を受け付ける。例えば、操作入力受付手段３０は、画面上に表示された位置情報対応表にしたがって、照明機器１０を順次点灯させる順次点灯開始ボタンや、順次点灯を停止する停止ボタンに対するユーザの入力を受け付ける。
【００５０】
操作入力受付手段３０は、停止ボタンに対する入力を受け付けたタイミングで、例えば画面上の位置情報対応表に点灯状態として表示されている照明機器１０の情報を記憶手段３５に記憶させると良い。
【００５１】
操作入力受付手段３０は、例えば画面上に表示された照明機器１０のレイアウト図において、所定範囲の照明機器１０が点灯するか確認するため、ユーザから所定範囲の照明機器１０を選択する指示を受け付けても良い。
【００５２】
送受信手段３１は、例えば有線通信により、ゲートウェイ装置４と各種データの送受信を行う。送受信手段３１は、例えば図１に示す屋外γの通信端末３と通信ネットワーク８を介して各種データの送受信を行う。
【００５３】
対応表取得手段３２は、例えばユーザからの指示により、又は所定のタイミングで、例えば記憶手段３５から位置情報対応表を取得すると、位置情報対応表で管理している照明機器１０の位置情報を、例えば緯度、経度の順番で優先度を付して並べ替える。
【００５４】
ここで、照明機器１０の位置情報を並べ替えるのは、予め保持している照明機器１０のレイアウト図にしたがって順番に照明機器１０を点灯することで、簡単に無線通信装置２が送信する位置情報が正しいか確認するためである。したがって、緯度、経度の順番で優先度を付して並べ替えるだけでなく、照明機器１０のレイアウト図にしたがって照明機器１０の位置情報を並べ替えれば良く、並べ替えの順番等には限定されない。
【００５５】
制御信号出力手段３３は、例えば対応表取得手段３２により取得した位置情報対応表の位置情報に基づき、無線通信装置２に搭載される照明機器１０の調光を制御するよう指示する制御信号を出力する。制御信号出力手段３３は、例えば制御信号として照明機器１０を消灯させる消灯コマンドや照明機器１０を点灯する点灯コマンド等を発行する。
【００５６】
ここで、制御信号出力手段３３は、例えば位置情報対応表の位置情報を並べ替えた順番に照明機器１０を点灯させるため、その照明機器１０の位置情報をもつ無線通信装置２に対して点灯コマンドを発行する。制御信号出力手段３３は、操作入力受付手段３０から所定範囲の照明機器１０が選択された指示を取得すると、その位置情報をもつ無線通信装置２に順番に点灯コマンドを発行しても良い。
【００５７】
表示制御手段３４は、画面上に各種画像や文字等を表示させるための制御を行う。表示制御手段３４は、制御信号出力手段３３により得られた制御信号に基づき、調光が制御されているはずの照明機器１０を位置情報対応表に対応させて画面に表示する。表示制御手段３４は、調光が制御されている（例えば点灯状態となっている）はずの機器が、位置情報対応表のどの機器か分かるように位置情報対応表上で強調表示すると良い。ここで、表示制御手段３４は、例えば画面上に、管理している照明機器１０のレイアウト図を表示しても良い。
【００５８】
記憶手段３５は、各種データを記憶する。記憶手段３５は、上述した照明機器１０のレイアウト図や、照明機器１０の位置情報対応表等を記憶する。
【００５９】
＜無線通信装置２：ハードウェア構成＞
図５は、無線通信装置のハードウェア構成の一例を示す図である。図５に示すように、無線通信装置２は、電圧変換器４０と、制御部４１と、位置情報送信部４２と、無線通信部４３とを有するように構成されている。電圧変換器４０は、例えばリード線を介して、制御部４１と、位置情報送信部４２と、無線通信部４３と電気的に接続されている。
【００６０】
電圧変換器２１は、例えば供給された高電圧ＤＣ電源を低電圧ＤＣ電源に変換し、無線通信装置２の各部に供給する。
【００６１】
制御部４１は、制御部４１全体の動作を制御するＣＰＵ（Ｃｅｎｔｒａｌ  Ｐｒｏｃｅｓｓｉｎｇ  Ｕｎｉｔ）５０と、基本入出力プログラムを記憶したＲＯＭ（Ｒｅａｄ  Ｏｎｌｙ  Ｍｅｍｏｒｙ）５１とを有するように構成される。
【００６２】
更に、制御部４１は、ＣＰＵ５０のワークエリアとして使用されるＲＡＭ（Ｒａｎｄｏｍ  Ａｃｃｅｓｓ  Ｍｅｍｏｒｙ）５２と、位置情報送信部４２と、無線通信部４３とそれぞれの信号の送受信を行うＩ／Ｆ部５３Ａ〜５３Ｂとを有するように構成される。更に、制御部４１は、上述した各部を電気的に接続するためのアドレスバスやデータバス等のバスライン５４を有するように構成される。なお、上述した図３に示す調光制御手段２１等における各処理はＣＰＵ５０により実行される。
【００６３】
位置情報送信部４２は、位置情報送信部４２全体の動作を制御するＣＰＵ６０と、基本入出力プログラム及び位置情報Ｘを記憶したＲＯＭ６１と、位置情報Ｘを送信する通信回路６２及びアンテナ６２Ａとを有するように構成される。更に、位置情報送信部４２は、制御部４１と信号の送受信を行うＩ／Ｆ部６３と、上述した各部を電気的に接続するためのアドレスやデータバス等のバスライン６４とを有するように構成される。
【００６４】
通信回路６２は、例えば屋内ＧＰＳと称される屋内測位技術の１つであるＩＭＥＳを利用し、アンテナ６２Ａにより位置情報Ｘを送信する。ＩＭＥＳでは、例えば図１に示す屋内αの天井の高さが、例えば３ｍの場合に屋内αの床に示す位置情報Ｘの到達可能な仮想円の半径が、例えば５ｍとなるように送信出力が設定される。上述した送信出力は、例えば５ｍよりも小さく又は大きくなるように設定することも可能である。
【００６５】
ここで、位置情報Ｘは、電気機器６ＡとしてのＬＥＤ照明機器１０の設置位置を示し、経度情報、緯度情報、建物の階数、建物の棟番号等の情報を示している。位置情報Ｘには、一例として東経１３９．３８７１１０度、北緯３５．４５９５５５度、建物Ｃ棟の１６階等の情報が含まれる。
【００６６】
無線通信部４３は、無線通信部４３全体の動作を制御するＣＰＵ７０と、基本入出力プログラム及び装置識別情報Ａを記憶したＲＯＭ７１と、ＣＰＵ７０のワークエリアとして使用されるＲＡＭ７２とを有するように構成される。
【００６７】
また、無線通信部４３は、制御部４１と信号の送受信を行うＩ／Ｆ部７３と、位置情報Ｘや、通信端末３の端末識別情報Ｂを受信して、ゲートウェイ装置４に送信する通信回路７４及びアンテナ７４Ａとを有するように構成される。また、無線通信部４３は、上述した各部を電気的に接続するためのアドレスやデータバス等のバスライン７５を有するように構成される。
【００６８】
無線通信部４３は、例えば９２０ＭＨｚ帯を利用してデータの送受信を行うと良い。９２０ＭＨｚ帯は、例えば電波到達性が高いため、無線通信装置２とゲートウェイ装置４との間に建物の柱や壁が存在している場合であっても、無線通信装置２からゲートウェイ装置４に対してデータを送信することが可能である。
【００６９】
通信回路７４は、例えばＩＥＥＥ８０２．１５．４規格のアーキテクチャモデルのうち少なくとも物理層（レイヤ）の規格を利用し、アンテナ７４Ａによってデータの送受信を行う。このとき、無線通信装置２（すなわち無線通信部４３）を識別する装置識別情報Ａとして、ＭＡＣアドレスを用いることが可能である。
【００７０】
なお、ＩＥＥＥ８０２．１５．４規格のアーキテクチャモデルのうち、物理層とＭＡＣ層を採用したＺｉｇＢｅｅを利用しても良い。この場合には、日本、米国、欧州等の利用領域に応じて、無線通信装置２は、例えば８００ＭＨｚ帯、９００ＭＨｚ帯、又は２．４ＧＨｚ帯を利用し、例えば隣接する他の無線通信装置２を経由して、ゲートウェイ４にデータを送信することが可能である。
【００７１】
このように、他の無線通信装置２を経由してデータを送信するマルチホップ通信を利用すれば、無線通信装置２の無線通信部１３は、最寄りの無線通信装置２にデータが到達する程度の電力で通信すれば良いため、省電力で駆動することが可能となる。
【００７２】
上述した位置情報Ｘは、無線通信装置２の工場出荷前等にメーカによって記憶されても良いし、例えば無線通信装置２の工場出荷後、例えば図１に示す天井βに電気機器２Ａが設置される際に設置者により記憶させても良い。
【００７３】
また、位置情報Ｘは、位置情報管理システム５等の外部装置から、ゲートウェイ装置４を介して無線通信により、無線通信部４３の通信回路７４を介して受信し、制御部４１を介して位置情報送信部４２のＲＯＭ６１に記憶させても良い。
【００７４】
＜位置情報管理システム：ハードウェア構成＞
図６は、位置情報管理システムのハードウェア構成の一例を示す図である。位置情報管理システム５は、例えばコンピュータにより構成される。図６に示すように、位置情報管理システム５は、キーボード８０と、マウス８１と、ディスプレイ８２と、ＣＰＵ８３と、ＲＯＭ８４と、ＲＡＭ８５と、ＨＤＤ（Ｈａｒｄ  Ｄｉｓｋ  Ｄｒｉｖｅ）８６と、ＨＤ８７とを有するように構成される。
【００７５】
更に、位置情報管理システム５は、ネットワークＩ／Ｆ部８８と、外部機器Ｉ／Ｆ部８９と、通信回路９０と、メディアドライブ９１と、ＣＤ−ＲＯＭドライブ９２とを有するように構成される。更に、位置情報管理システム５は、上述した各部を電気的に接続するためのアドレスバスやデータバス等のバスライン９３を有するように構成される。
【００７６】
キーボード８０は、文字、数値、各種指示等の入力のためのキーを有する。マウス８１は、各種指示の選択や実行、処理対象の選択、カーソルの移動等を行う。ディスプレイ８２は、カーソル、メニュー、ウィンドウ、文字、又は画像等の各種情報を表示する。
【００７７】
ＣＰＵ８３は、位置情報管理システム５全体の動作を制御する。ＲＯＭ８４は、ＩＰＬ（Ｉｎｉｔｉａｌ  Ｐｒｏｇｒａｍ  Ｌｏａｄｅｒ）等のＣＰＵ８３の駆動に用いられるプログラムや、ＭＡＣアドレス等を記憶する。ＲＡＭ８５は、ＣＰＵ８３のワークエリアとして使用される。
【００７８】
ＨＤＤ８６は、ＨＤ８７に対する各種データの読み出し又は書き込みを制御する。ＨＤ８７は、位置情報管理システム５用のプログラムや、照明機器１０のレイアウト図や、照明機器１０の位置情報対応表等の各種データを記憶する。
【００７９】
ネットワークＩ／Ｆ部８８は、通信ネットワーク８を利用してデータ通信を行うためのインターフェースであり、外部機器Ｉ／Ｆ部８９は、外部機器を接続するためのインターフェースである。
【００８０】
通信回路９０は、アンテナ９０Ａを介して無線通信を行う回路である。メディアドライブ９１は、フラッシュメモリ等の記録メディア９４に対するデータの読み出し又は書き込み（記憶）を制御する。ＣＤ−ＲＯＭ（Ｃｏｍｐａｃｔ  Ｄｉｓｃ  Ｒｅａｄ  Ｏｎｌｙ  Ｍｅｍｏｒｙ）ドライブ７２は、ＣＤ−ＲＯＭ９５に対する各種データの読み出し又は書き込みを制御する。
【００８１】
＜点灯制御処理＞
図７は、点灯制御処理の流れを示すフローチャートである。図７に示すように、位置情報管理システム５は、例えばユーザからの指示により、又は所定のタイミングで、対応表取得手段３２により、例えば記憶手段３５から位置情報対応表を取得する（Ｓ１０）。
【００８２】
次に、位置情報管理システム５は、対応表取得手段３２により、例えば位置情報に含まれる緯度、経度の順番で優先度を付して並べ替える（Ｓ１１）。上述したように、並べ替える順番等は、予め保持している照明機器１０のレイアウト図にしたがって順番に照明機器１０を点灯させることで、より簡単に無線通信装置２が送信する位置情報を正しいか確認するためであり、これに限定されない。
【００８３】
次に、位置情報管理システム５は、制御信号出力手段３３により、位置情報対応表に含まれる照明機器１０を消灯させる消灯コマンドを発行すると（Ｓ１２）、優先度を付して並べ替えた順番に、照明機器１０を１つずつ点灯させる点灯コマンドを発行する（Ｓ１３）。なお、Ｓ１２の処理は、Ｓ１３の処理前に行われていれば良く、例えばＳ１１の処理の前に行われていても良い。
【００８４】
Ｓ１３の処理では、並べ替えた順番に照明機器１０を点灯させるため、その照明装置１０の位置情報をもつ無線通信装置２に点灯コマンドを発行し、無線通信装置２により搭載されている照明機器１０を点灯させるよう制御する。ここでは、一例として照明機器１０を順番に、約１秒間、点灯させた後、消灯し、次の照明機器１０を、約１秒間、点灯させた後、消灯させると良い。
【００８５】
位置情報管理システム５は、Ｓ１３の処理で点灯コマンドを発行すると、発行された点灯コマンドにより、点灯状態（点灯中）となるはずの照明機器１０を、表示制御手段３４により、位置情報対応表に対応させて画面に表示する（Ｓ１４）。ここでは、位置情報対応表上で、どの照明機器１０が点灯状態となるか分かるように強調表示して示すと良い。
【００８６】
位置情報管理システム５は、Ｓ１４の処理で照明機器１０を強調表示している間又はその後において、操作入力受付手段３０により、例えば画面上に設けられた停止ボタンに対するユーザの入力があったか否か（指示あり？）判断する（Ｓ１５）。
【００８７】
例えばユーザは、照明機器１０のレイアウト順に、照明機器１０が点灯されていないと判断すると、画面上の停止ボタンが押して、レイアウト順に点灯されなかった照明機器１０を確認する。
【００８８】
位置情報管理システム５は、操作入力受付手段３０により、停止ボタンに対するユーザの入力があったと判断すると（Ｓ１５において、ＹＥＳ）、次の点灯コマンドの発行を停止する。また、停止ボタンの入力を受け付けたタイミングで、画面上に点灯状態として表示されていた照明機器１０の情報を記憶しておくと良い。
【００８９】
一方、位置情報管理システム５は、停止ボタンに対するユーザの入力がないと判断すると（Ｓ１５において、ＮＯ）、Ｓ１３の処理に進み、次の照明機器１０を点灯させるための点灯コマンドを発行する。
【００９０】
なお、Ｓ１３〜Ｓ１５の処理は、例えば位置情報対応表に含まれる全ての照明機器１０に対して実行されるが、ユーザにより所定範囲の照明機器１０を点灯させる指示があった場合には、所定範囲の照明機器１０に対して実行すると良い。
【００９１】
次に、位置情報管理システム５は、制御信号出力手段３３により指定された全ての照明機器１０に対して点灯コマンドを発行したか否か判断する（Ｓ１５）。位置情報管理システム５は、指定された全ての照明機器１０に対して点灯コマンドを発行していないと判断すると（Ｓ１５において、ＮＯ）、Ｓ１３の処理に戻る。
【００９２】
一方、全ての照明機器１０に対して点灯コマンドを発行したと判断すると（Ｓ１５において、ＹＥＳ）、処理を終了する。
【００９３】
上述した処理により、照明機器１０のレイアウト順に点灯されていく場合には、管理上の無線通信装置２の設置位置が、実際に搭載されている照明機器１０の設置位置に対応していると判断することが可能となる。また、レイアウト順に点灯されなかった照明機器１０を記憶しておくことで、管理上の設置位置と、実際の設置位置が対応していない照明機器１０を特定することが可能となる。
【００９４】
＜位置情報対応表の例＞
図８は、位置情報対応表の一例を示す図である。図８に示すように、位置情報対応表は、照明機器１０を識別する「識別ＩＤ」と、照明機器１０の設置位置である「緯度」、「経度」の位置情報と、照明機器１０に搭載され、その位置情報を記憶している無線通信装置２を識別する「装置ＩＤ」とが対応して示されている。
【００９５】
例えば、照明機器１０（識別ＩＤ「１０Ａ」）は、設置位置が緯度「３３．００００００」、経度「１３２．００００００」である。照明機器１０（識別ＩＤ「１０Ａ」）には、この設置位置の位置情報を記憶する無線通信装置２（装置ＩＤ「２Ａ」）が搭載されていることを示している。
【００９６】
位置情報管理システム５は、位置情報対応表で管理している照明機器１０の位置情報を記憶している無線通信装置２が、その照明機器１０に正しく設置されているか確認するため、例えば図２に示すレイアウト順で照明機器１０を点灯させていく。図８の例では、このレイアウト順で点灯させるため、位置情報を緯度、経度の順番で優先度を付して並べ替えた状態を示している。
【００９７】
したがって、図８に示す順番で照明機器１０を点灯させて、約１秒後に消灯させ、次の照明機器１０を点灯させて、約１秒後に消灯させ、図２に示すレイアウト順に点灯したか確認する。図２に示すレイアウト順に点灯していれば、無線通信装置２が記憶している位置情報と、その設置位置は対応し、無線通信装置２の設置位置は、搭載される照明機器１０の設置位置に対応していると判断することが可能となる。
【００９８】
＜照明機器１０の点灯順序の例＞
図９は、照明機器の点灯順序を説明するための図である。図９（Ａ）は、図２のレイアウト順で照明機器１０が点灯された例を示し、図９（Ｂ）は、図２のレイアウト順に照明機器１０が点灯していない例を示している。
【００９９】
上述した図８に示す順番で照明機器１０を点灯させたときに、無線通信装置２が記憶している位置情報が設置位置と対応している場合には、図９（Ａ）に示す点線の通りに照明機器１０が点灯、消灯を繰り返すことになる。これにより、管理上の無線通信装置２の設置位置と、実際に無線通信装置２が搭載される照明機器１０の設置位置とが同一であり、無線通信装置２が適切に設置されていると判断することが可能となる。
【０１００】
一方、上述した図８に示す無線通信装置２（装置ＩＤ「２Ａ」）が、照明機器１０（識別ＩＤ「１０Ａ」）の設置位置の位置情報を記憶しているにも関わらず、照明機器１０（識別ＩＤ「１０Ｂ」）の位置に設置されている場合、図９（Ｂ）に示す位置で点灯が開始する。
【０１０１】
すなわち、図９（Ｂ）に示す照明機器１０Ａの位置から点灯させようと、無線通信装置２Ａに点灯コマンドを発行しても、無線通信装置２Ａが、照明機器１０Ｂの位置に設置されている場合には、照明機器１０Ｂが点灯することになる。この場合には、無線通信装置２Ａには、照明機器１０Ａの位置情報が記憶されているため、無線通信装置２Ａは設置位置と対応していない位置情報を送信していることになる。
【０１０２】
なお、図９（Ｂ）の例では、無線通信装置２Ａ〜２Ｂを逆に取り付けてしまった例を示している。このように、図２のレイアウト順に照明機器１０が点灯しない場合には、どの位置で無線通信装置２が間違って設置されているか、すなわち無線通信装置２が記憶している位置情報と、設置位置が対応していないか確認することが可能となる。
【０１０３】
上述の例では、照明機器１０を全て消灯した後、点灯、消灯を繰り返す例を示したが照明機器１０を全て消灯した後、順次点灯させても良く、照明機器１０を全て点灯した後、順次消灯させても良く、順次明るさを調光するよう制御しても良い。
【０１０４】
＜点灯状態の照明機器１０を表示する画面例＞
図１０は、点灯状態の照明機器を表示する画面の一例を示す図である。図１０に示すように、位置情報管理システム５は、表示制御手段３４により、図８に示す位置情報対応表を画面１１０に表示する。画面１１０には、例えばユーザにより入力可能な順次点灯開始ボタン１１１や、停止ボタン１１２が設けられている。
【０１０５】
ここで、例えばユーザにより順次点灯開始ボタン１１１が選択されると、画面１１０に表示されている位置情報対応表の識別ＩＤ順で照明機器１０を点灯させるため、その位置情報を記憶する装置ＩＤの無線通信装置２に対して点灯コマンドが発行される。
【０１０６】
画面１１０では、照明機器１０が点灯状態となるタイミングで、位置情報対応表のどの照明機器１０が点灯状態となるか分かるように、対応する項目１１３が強調表示される。図１０に示すように、装置ＩＤ「２Ａ」の無線通信装置２が、識別ＩＤ「１０Ａ」の照明機器１０の位置に設置されていれば、図２に示すレイアウトの照明機器１０Ａの位置で点灯状態となるため、正しい位置に設置されていると確認することが可能となる。
【０１０７】
一方、図２に示すレイアウトの照明機器１０Ａの位置で点灯しなかった場合には、ユーザにより画面上で停止ボタン１１２を押すことにより、照明機器１０の対応する項目１１３の情報を記憶しておくと良い。このように、図２に示すレイアウト順で点灯しなかった照明機器１０の情報を記憶させておくことで、どの無線通信装置２が正しく設置されていないか確認することが可能となる。
【０１０８】
上述した例では、図８に示す位置情報対応表を画面１１０に表示したが、図２に示すレイアウト図を画面１１０に表示させて、点灯状態となるべき照明機器１０の位置と、実際に点灯状態となった位置が一致するかにより確認しても良い。また、照明機器１０が設置されている場所から、位置情報管理システム５にアクセスすることにより、ユーザの携帯端末上で画面１１０を表示させても良い。
【０１０９】
また、画面１１０に図２に示すレイアウト図を表示させて確認するときに、例えばユーザによりどの照明機器１０を点灯させたいか、どの範囲の照明機器１０を点灯させたいか選択させて、選択した照明機器１０を点灯させるよう制御信号を出力しても良い。
【０１１０】
また、図２に示すレイアウト順で点灯しなかった照明機器１０の情報を確認して、図９（Ｂ）に示すように、無線通信装置２Ａ〜２Ｂを逆に取り付けてしまったと判断できる場合には、無線通信装置２Ａ〜２Ｂに再度、設置位置に対応する位置情報を記憶させると良い。これにより、無線通信装置２Ａ〜２Ｂは、設置位置に対応する適切な位置情報を送信することが可能となる。
【０１１１】
また、上述した例では、照明機器１０の調光を用いたが、無線通信装置２が搭載される機器に、ブザー（警報音）等を出力する音出力機器を設けて、音を用いて無線通信装置２の設置位置を確認しても良く、調光と音を組み合わせて確認しても良い。
【０１１２】
上述したように、本実施形態では、管理上の無線通信装置の設置位置が、実際に搭載される機器の設置位置に対応しているか容易に確認することが可能となる。
【０１１３】
以上、開示の技術の好ましい実施形態について詳述したが、開示の技術は係る特定の実施形態に限定されるものではなく、特許請求の範囲に記載された開示の技術の要旨の範囲内において、種々の変形、変更が可能である。
【符号の説明】
【０１１４】
１  位置情報管理システム
２  無線通信装置
３  通信端末
４  ゲートウェイ装置
５  位置情報管理システム（管理装置の一例）
６  電気機器
７  管理対象物
８  通信ネットワーク
９  ＧＰＳ衛星
１０  照明機器
２０  変換手段
２１  調光制御手段
２２  位置情報送信手段
２３  無線通信手段
２４，３５  記憶手段
２５  制御手段
３０  操作入力受付手段
３１  送受信手段
３２  対応表取得手段
３３  制御信号出力手段
３４  表示制御手段
４０  電圧変換器
４１  制御部
４２  位置情報送信部
４３  無線通信部
５０，６０，７０，８３  ＣＰＵ
５１，６１，７１，８４  ＲＯＭ
５２，７２，８５  ＲＡＭ
５３，６３，７３  Ｉ／Ｆ部
５４，６４，７５，９３  バスライン
６２，７４，９０  通信回路
８０  キーボード
８１  マウス
８２  ディスプレイ
８６  ＨＤＤ
８７  ＨＤ
８８  ネットワークＩ／Ｆ部
８９  外部機器Ｉ／Ｆ部
９１  メディアドライブ
９２  ＣＤ−ＲＯＭドライブ
【先行技術文献】
【特許文献】
【０１１５】
【特許文献１】特開２０１１−１４５８７３号公報
【図１】
2014171160.tif 000003
【図２】
2014171160.tif 000004
【図３】
2014171160.tif 000005
【図４】
2014171160.tif 000006
【図５】
2014171160.tif 000007
【図６】
2014171160.tif 000008
【図７】
2014171160.tif 000009
【図８】
2014171160.tif 000010
【図９】
2014171160.tif 000011
【図１０】
2014171160.tif 000012